(57)【特許請求の範囲】
【請求項１】
有毒ガスとドレン水とが混合されている状態から前記ドレン水のみを取り出して排出する水封式ドレントラップにおいて、
水封式ドレンタンクと、
前記水封式ドレンタンク内に溜められている液体に一端が挿入されており、他端側から前記有毒ガスと前記ドレン水とが導通してくる水封配管と、
前記水封配管の内部における水面が前記水封配管の所定範囲を超えないように作用し、前記水封配管の内部に備えられている水封式ドレンタンク圧力調整装置と
を具備し、
前記水封式ドレンタンク圧力調整装置は、
前記水封配管の内部における前記液体の水面の許容される一方の境界位置に配置されている第１の調整弁と、
前記水封配管の内部における前記液体の水面の許容される他方の境界位置に配置されている第２の調整弁と、
前記有毒ガスの圧力に応じた前記水封配管の内部における前記液体の水面の位置により前記第１の調整弁と前記第２の調整弁との開閉を行う調整手段と
を具備することを特徴とする水封式ドレントラップ。
【請求項２】
請求項１記載の水封式ドレントラップにおいて、
前記有毒ガスはオゾンであり、
前記調整手段は、前記水封配管の内部における前記液体の水面に浮かび、
前記第１の調整弁と前記第２の調整弁とは、楔状の弁であり、前記調整手段をせき止めることで前記水封式ドレンタンク内の液体の流動を遮断する
ことを特徴とする水封式ドレントラップ。
【発明の詳細な説明】
【０００１】
【発明の属する技術分野】
本発明は、水封式ドレンタンクの利用において水封が破れることを防止する装置に関する。
【０００２】
【従来の技術】
例えば、ガスとドレン水とが混合されている状態からドレン水のみを取り出して排出する装置として水封式ドレントラップが利用される。
【０００３】
図６は、従来の水封式ドレントラップの概略を示す断面図である。水封式ドレントラップ１は、ドレンタンク２内に溜められている水３に水封配管４の一端が挿入されて構成される。水封配管４の他端側から水封配管４の内部をガスとドレン水とが導通してくるが、ガスはドレンタンク３内の水３で密封され、ドレン水のみがドレンタンク２内の水３と混合されドレン排出口２ａから排水される。
【０００４】
例えば、このような水封式ドレントラップがガス分析装置に利用されたり、ガス処理装置に導入する配管内の水分を除去するために利用されると、装置内の配管を流れるガスがドレン排出口から漏れ出ることを防止しつつ、水分のみを排出できる。
【０００５】
ここで、有害な排ガス処理装置の一種である排オゾン処理装置に上記のような水封式ドレントラップ１を利用する場合について説明する。
【０００６】
図７は、従来の排オゾン処理装置の概略を示すブロック図である。オゾン発生器で発生したオゾンガスはオゾン接触池５にて被処理物と接触する。この時、オゾン接触池５に注入されたオゾンガスは全てが処理に使われるのではなく、一部はオゾンガスのままオゾン接触池５より放出される。オゾンガスは有毒なガスであるため、それを無害な酸素に分解する必要があるが、この時に使用されるのが排オゾン処理装置６である。
【０００７】
排オゾン処理装置６は、オゾン分解塔７においてオゾンを４０〜６０℃のマンガン系触媒、または活性炭を通過させることによりオゾンを分解する。
【０００８】
オゾン接触池５から放出されるオゾンガス（以下、「排オゾンガス」という）は水分を飽和状態で含んでいるが、上記のマンガン系触媒や活性炭は水分の存在下では分解効率を極端に低下させるため、排オゾン中の水分を十分に除去してからオゾン分解塔７に導入する必要がある。この水分除去は、オゾン分解塔７内のオゾン分解触媒の長寿命化に欠かせない工程である。このため、排オゾン処理装置６にはミストセパレータ８及び加温ヒータ９が設けられている。
【０００９】
ミストセパレータ８は、内部に設けたメッシュ構造のワイヤーに水分を含んだガスが接触することにより、水分だけをドレントラップ１へと分離する。また、加温ヒータ９は、ガス温度を上げることにより後段で行われるオゾン分解の効率を上げると共に、蒸発によりガス中の水分を除去する。
【００１０】
このミストセパレータ８と加温ヒータ９には水封式ドレントラップ１が設置されており、ミストセパレータ８と加温ヒータ９は共にガス中の水分をこの水封式ドレントラップ１に受けさせ、排出する。オゾンガスは非常に有毒なガスであるため水封式ドレントラップ１により水封され、オゾン漏れが防止される。
【００１１】
しかし、排オゾンガスの発生源であるオゾン接触池５は非常に大きな圧力変動を生じる場合がある。この圧力変動は、例えば、被処理物の状態が極端に悪化し、オゾンガス流量を倍量して処理対応する場合、または別のオゾン発生器とあわせて注入率を倍増する場合、被処理物の量変動によりオゾンガスの流量を増加させる場合、処理水量の急激な増減によるオゾン接触池５の水位が増減する場合などに引き起こされる。特に、オゾン接触池５の水位が低下すると大幅な圧力の低下となり、逆に水位が上がると大きな圧力上昇となる。
【００１２】
このようなガス発生源での圧力変動に伴って水封配管４内を流れるガス圧力も変動し、この圧力変動の結果ドレンタンク２内の水位も変動する。
【００１３】
例えば、急激にガス発生源であるオゾン接触池５が減圧状態になると、ガスは発生源に引き込まれる。これにより、ドレンタンク２内の水封用の水がオゾン接触池５側に吸い込まれ、この状態が続くとドレンタンク２内が空になり、大気までが吸い込まれる。
【００１４】
また、逆に、オゾン接触池５が加圧状態となってガス圧力が上昇すると、ドレンタンク２内の水位が上昇し、さらにはドレンタンク２内の水封用の水がドレン排出口２ａから溢れ出ることになる。
【００１５】
このような現象は、水封式ドレントラップ１からガスが漏れ出る原因となるが、水封式ドレントラップ１を設置する必要のあるガスは毒性のあるガスである場合が多い。オゾンも上記したように非常に毒性の強いガスである。
【００１６】
したがって、以上のような現象が発生しても水封式ドレントラップ１からガスが漏れ出ないような対策を講ずる必要がある。
【００１７】
従来においては、この対策として水封配管をを長くする措置、ガスがドレントラップ１から漏れ出る場合を想定して活性炭等をドレンタンク２の内面上部に設置する措置等がとられている。
【００１８】
なお、排ガス処理装置以外の水封式ドレントラップ１の利用例としては、ガス濃度計がある。このガス濃度計の例としてオゾン処理の流れの中で利用される排オゾン濃度計について説明する。
【００１９】
排オゾン濃度計の測定方法としては、紫外線吸収方式が一般的に利用される。この方式はオゾンが紫外線吸収領域の２５４nm付近において最大吸収帯があることを利用してオゾン濃度を求める方法である。被測定ガスには試料セルと呼ばれる光学セル内にて光源部より発せられる紫外線が照射される。
【００２０】
このため、被測定ガス中に水分が含まれていると、試料セル内が水滴で曇る、排オゾン濃度計までの配管中に水滴が溜まりガスを吸入できなくなる等により排オゾン濃度測定に支障をきたすことがある。
【００２１】
また、排オゾンガスはオゾン接触池５から余分となったオゾンガスであるため、飽和状態の水分を含んでいる。このため、排オゾン濃度計に導入する前に水分を除去する必要があり、この水分を水封式ドレントラップ１にて除去する。
【００２２】
しかしながら、この排オゾン濃度計においてもガスはオゾン接触池５から引き込まれるため、先に述べた排オゾンガス処理装置６の場合と同様に排オゾンガス圧力の変動に伴ってドレンタンク２内の水封が破れることがある。
【００２３】
したがって、この排オゾン濃度計においても水封を維持するために、排オゾンガス処理装置６と同様、水封配管を長くする措置、ガスがドレントラップ１から漏れ出る場合を想定して活性炭等をドレンタンク２の内面上部に設置する措置等がとられる。
【００２４】
さらに、排オゾン濃度計の一要素として、オゾンガスを低温にして水分を冷却除湿する電子除湿器を適用する場合もある。この電子除湿器はオゾン接触池５から排オゾン濃度計本体までの間の配管中に設置されるが、この設置位置はなるべくオゾン接触池５の出口近くが適している。電子除湿器で除去した水分は自然落下方式によりオゾン接触池５に返送される。
【００２５】
なお、電子除湿器を設置したとしても、排オゾン濃度計本体に別途水分除去用トラップを設置する場合がある。この水分除去用トラップは電子除湿器で水分を除去しきれない場合の補助用トラップとして利用される。
【００２６】
【発明が解決しようとする課題】
しかしながら、電子除湿器を設置しない排オゾン濃度計や、排オゾン処理装置において、ガス圧力の変動による水封式ドレンタンク１からのガス漏れを防止するための従来の措置には、以下のような問題がある。
【００２７】
例えば、水封式ドレンタンク１の水封を確保するために水封配管を長くしたり、ドレンタンク２内面上部に活性炭等を設置すると、ドレントラップ１の大きさが大きくなる、費用がかかる、メンテナンスの労力が増加する等の問題が生じる。
【００２８】
また、ガス圧力の変動範囲は想定できない場合が多いことを考慮し、必要以上に水封配管を長くすると装置内にドレンタンク２を収納できなくなるという問題があり、また活性炭を設置する新たなスペースを確保する必要があるという問題もある。
【００２９】
一方、排オゾン濃度計に電子除湿器を適用する場合には、まず、オゾン接触池５の出口付近の配管上に電子除湿器を設置するためのスペース、支持物、電源が必要となるという問題がある。
【００３０】
例えば、一般的に電子除湿器には約２００mm四方のスペースが必要であり、その重量約２０kg程度を支持可能とする必要がある。設置場所が屋外である場合には特にスペース及び支持物に注意を要する。
【００３１】
また、ＡＣ１００v程度の電源も必要であるため新たに電子除湿器用の電源を引き込まなければならない。ゆえに、電子除湿器を最適な場所に設置することが困難な場合が多い。
【００３２】
さらに、排オゾン濃度計に電子除湿器を適用し、加えて排オゾン濃度計本体にも水分除去用トラップを設置した場合には、例えば通常運転時はトラップ内に若干の水を残し、トラップ出口は常時閉としなければオゾンガスが漏洩する場合がある。また、トラップ内のドレンを排出する際も、少量の水を残す等の配慮を必要とする。さらに、長時間の使用によってオゾンガスにより内部が汚染され、随時トラップを交換する必要がある。したがって、上記メンテナンスに労力がかかり電子除湿器を設置できないケースもある。
【００３３】
以上のように、従来においてはガス漏れの対処措置が有効に活用できない場合がある。
【００３４】
本発明は、以上のような実情に鑑みてなされたもので、ガス圧力が変動してもドレンタンク内の圧力の変動を抑制し、いかなる圧力変動にも対応可能であり、特別に設置スペースを確保することなく、水封を確保するための水封式ドレンタンク圧力調整装置を具備する水封式ドレントラップを提供することを目的とする。
【００３５】
【課題を解決するための手段】
本発明を実現するにあたって講じた具体的手段について以下に説明する。
【００３６】
本発明は、有毒ガスとドレン水とが混合されている状態からドレン水のみを取り出して排出し、水封式ドレンタンク内の液体に一端が挿入された水封配管の内部における水面が水封配管の所定範囲を超えないように作用する水封式ドレンタンク圧力調整装置を具備する水封式ドレントラップである。
【００３７】
このように、水封配管内部の水面が所定範囲を超えると液体の流動を遮断するように制御することで、水封式ドレンタンク内の圧力を容易に調整し、水封配管の他端側におけるガス圧力が変動しても水封式ドレンタンク内の圧力を一定に保ち、水封の変動を防止し、水封を維持させることができる。
【００３８】
したがって、ドレンタンクからガスが漏れることを防止できる。また、未使用あるいは未確定の使用状況でも水封状態を保つことができ、省スペース、取り付けの容易性、低コストを実現し、メンテナンスの労力を軽減させることができる。さらに、長い水封配管や活性炭等のような過剰な設備を容易する必要がない。
【００３９】
本発明の水封式ドレントラップに具備される水封式ドレンタンク圧力調整装置は、水封配管の内部に設置することで、一層省スペース化を図ることができる。
【００４０】
また、本発明の水封式ドレントラップに具備される水封式ドレンタンク圧力調整装置は、水封配管の内部における液体の水面の許容される一方の境界位置に配置されている第１の調整弁と、水封配管の内部における液体の水面の許容される他方の境界位置に配置されている第２の調整弁と、有毒ガスの圧力に応じた液体の水面の位置により第１の調整弁と第２の調整弁との開閉を行う調整手段とにより構成してもよい。
【００４１】
例えば、調整手段は水封配管内部の水面に浮かぶとし、第１の調整弁、第２の調整弁を楔状の弁とし、この第１の調整弁及び第２の調整弁が調整手段をせき止めることでドレンタンク内の液体の流動を遮断するとしてもよい。このような構成を実現することで、上記各効果を極めて良好に実現できる。
【００４２】
【発明の実施の形態】
以下、図面を参照しながら本発明の実施の形態について説明する。
【００４３】
図１は、本実施の形態に係る水封式ドレンタンク圧力調整装置を備えたドレントラップの構造を示す断面図であり、図６と同様の部分については同一の符号を付してその説明を省略し、ここでは異なる部分についてのみ詳しく説明する。
【００４４】
この水封式ドレントラップ１０は、図１に示す水封式ドレントラップ１と同様の状態で排オゾン処理装置に配置される。
【００４５】
本実施の形態に係る水封式ドレンタンク１０は、従来の水封式ドレントラップ１の備える水封配管４に代えて、内部に水封式ドレンタンク圧力調整装置を備えた水封配管１１を用いる点が異なっている。
【００４６】
水封配管１１内の水封式ドレンタンク圧力調整装置は、水封配管内部の楔状の絞りである２つの圧力調整弁１２ａ、１２ｂと、この絞り部分を封じることが可能な栓である圧力調整子１２ｃから構成される。
【００４７】
具体的には、圧力調整弁１２ａ、１２ｂは水封配管の内周に沿ってリング状に形成されている凸部である。一方の圧力調整弁１２ａは、水封配管１１内における水面の許容範囲の上限位置に配置され、他方の圧力調整弁１２ｂは、水封配管１１内における水面の許容範囲の下限位置に配置される。
【００４８】
また、圧力調整子１２ｃとしては、例えばシリコン製、ＥＰＤＭ製、ハイパイロン製、塩化ビニル製など、オゾン耐性があり、また水に浮く性質のものを選定している。圧力調整子１２ｃの大きさは、水封配管１１の内径以下であり、圧力調整弁１２ａ、１２ｂにおける開口部の直径以上であるとする。
【００４９】
この水封式ドレントラップ１０が先の図７と同様の排オゾン処理装置に適用される場合には、ミストセパレータ、加温ヒータから傾斜配管が伸ばされ、これが水封配管１１としてドレンタンク２に溜められている水に挿入される。これにより、オゾンガスが水封式ドレントラップから漏れ出ることが防止される。
【００５０】
水封式ドレントラップ１０の水封配管１１や水封式ドレンタンク２の材質は例えば透明の塩化ビニル製とし、内部状況を監視可能とすることが望ましい。
【００５１】
水封配管１１の長さは、オゾン接触池の圧力変動に伴う排オゾンガス圧力の変動を考慮し、この排オゾンガス圧力の変動に対応可能なように選定する。例えば、排オゾンガス圧力の変動が１００mmH2O生じる場合には水封配管１１を１００mm以上とし、同様に５００mmH2O生じる場合には水封配管１１を５００mm以上とする。その他の場合も、これに準じて設定可能である。
【００５２】
上記のような水封式ドレンタンク圧力調整装置を備えた水封式ドレントラップ１０において、排オゾンガス圧力の変動が生じた場合について以下に説明する。
【００５３】
例えば、ガス圧力が極端に加圧状態となったとする。図２は、この場合の水封式ドレントラップの状態を示す断面図である。
【００５４】
この場合、圧力調整子１２ｃが下限側の圧力調整弁１２ｂに押し込まれる。これにより、加圧状態のガス圧力がさらに伝搬されることが抑制され、ドレンタンク２内が加圧状態となることがない。また、この状況では圧力調整子１２ｃと下限側の圧力調整弁１２ｂとによりドレン水とガスとの流動が封じられているため、ドレン水はドレンタンク２内に流入されない。
【００５５】
その後、ガス圧力が極端な加圧状態から定常状態に戻ると、下限側の圧力調整弁１２ｂを封じていた圧力調整子１２ｃが元の状態（例えば図１のような状態）に戻される。また、流入が封じられていたドレン水がドレンタンク２内に流入される。
【００５６】
これとは逆に、ガス圧力が極端に減圧状態となったとする。図３は、この場合の水封式ドレントラップの状態を示す断面図である。
【００５７】
この場合、圧力調整子１２ｃが上限側の圧力調整弁１２ａに押し込まれる。これにより、減圧状態のガス圧力によりドレンタンク２内の水封用の水が引き込まれることが防止され、ドレンタンク２内が減圧状態となることがない。また、この状況では圧力調整子１２ｃと下限側の圧力調整弁１２ａとによりドレン水とガスとの流動が封じられているため、ドレン水はドレンタンク２内に流入されない。
【００５８】
その後、ガス圧力が極端な減圧状態から定常状態に戻ると、上限側の圧力調整弁１２ａを封じていた圧力調整子１２ｃが元の状態（例えば図１のような状態）に戻される。また、流入が封じられていたドレン水がドレンタンク２内に流入される。
【００５９】
以上説明したように、本実施の形態においては、水封配管内部の上限位置及び下限位置の２カ所のうちガス圧力に応じて一方を封じることにより、大きなガス圧力の変動をタンク２内に伝搬することなく容易に調整でき、ガス中のドレンをトラップすることができる。
【００６０】
これによりドレンタンク２内の水封の変動を防止して水封を確保し、有毒なガスが漏れることを防止できる。
【００６１】
また、水封式ドレンタンク１０においては、水封配管を長くする必要がなく、ガス漏れ用の活性炭等を設置するスペースも必要ないため、装置を小型化できる。したがって、この水封式ドレンタンク１０を配置するスペースの確保が容易である。
【００６２】
また、水封式ドレンタンク１０においては、特別な電源を確保する必要もないため、容易に設置して導入することができる。
【００６３】
また、水封式ドレンタンク１０を適用する場合には、通常の水封式ドレンタンク１の水封配管４に代えて、水封式ドレンタンク圧力調整装置を備えた水封配管１１を導入するのみでよい。したがって、装置の設置・導入に必要なコスト、労力を削減できる。
【００６４】
また、水封式ドレンタンク１０を採用しても、特別なメンテナンスや経費が必要ないため、メンテナンスの労力、設備の維持コストを抑制できる。
【００６５】
なお、本実施の形態においては、排オゾン処理装置を例として示しているが、これに限定されるものではなく、排オゾン濃度計等の他のガス分析装置、ガス処理装置に対しても適用可能である。
【００６６】
また、水封するガスはオゾンに限定されるものではなく、例えば有毒な気体等、各種のガスに適用できる。
【００６７】
【実施例】
排オゾン処理装置に対して、本発明の水封式ドレンタンク圧力調整装置を備えたドレントラップを適用した場合と、通常の水封式ドレントラップを適用した場合の具体例について以下に説明する。
【００６８】
図４は、本実施例における実験システムの構成を示すブロック図であり、図１、６、７と同一の部分については同一の符号を付してその説明を省略するかあるいは簡単に説明し、ここでは異なる部分についてのみ詳しく説明する。
【００６９】
排オゾン処理装置６ではミストセパレータ８及び加温ヒータ９に対して通常の水封式ドレントラップ１が配置される。これに対し、排オゾン処理装置１３ではミストセパレータ８及び加温ヒータ９に対して本発明を適用した水封式ドレントラップ１０が配置される。
【００７０】
ここで、水封式ドレントラップ１、１０の水封配管４、１０の配管長は３００mmとしている。これは、すなわち通常の水封式ドレントラップ１に対しては排オゾンガスの圧力変動を３００mmH2O以下とする必要がある旨を意味する。
【００７１】
オゾン接触池５から放出される排オゾンガスは、各排オゾン処理装置６、１３に導入され、処理される。この各排オゾン処理装置６、１３間はそれそれがパーテションにより仕切られている。
【００７２】
オゾン接触池５の上部には連成計１４を設置し、また排オゾン処理装置６、１３の入口には連成計１５、１６を配置している。ここで、各連成計１４〜１６の測定スパンは−３０００mmH2Oから＋３０００mmH2Oとしている。
【００７３】
また、オゾン濃度計１７は通常の水封式ドレントラップ１の水封式ドレンタンク１周りのオゾン濃度（漏洩オゾン濃度）を測定し、オゾン濃度計１７は本発明を適用した水封式ドレントラップ１０の水封式ドレンタンク１０周りのオゾン濃度（漏洩オゾン濃度）を測定する。
【００７４】
上記システムを稼働し、オゾン接触池５上部に設置した連成計１４の指示値ＣＰ１、排オゾン処理装置６入口に設置した連成計１５の指示値ＣＰ１（通常の水封式ドレントラップ１使用）、排オゾン処理装置１３入口に設置した連成計１６の指示値ＣＰ２（本発明を適用した水封式ドレントラップ１０使用）、通常の水封式ドレントラップ１における水封式ドレンタンク２周りのオゾン濃度計１７の指示値ＯＺ１、本発明を適用した水封式ドレントラップ１０における水封式ドレンタンク２周りのオゾン濃度計１８の指示値ＯＺ２を測定する。
【００７５】
図５は、ＣＰ１〜ＣＰ３、ＯＺ１、ＯＺ２の測定結果を示す図であり、横軸を時間、ＣＰ１〜ＣＰ３に関する縦軸を連成計指示値、ＯＺ１及びＯＺ２に関する縦軸をオゾン濃度としている。
【００７６】
この測定の結果、ＣＰ１〜ＣＰ３の指示値にはほとんど差がないが、圧力変動が激しく、＋１５００mmH2O〜−１５００mmH2Oに及んでいる。
【００７７】
先に述べたように、水封配管は水封式ドレントラップ１、１０の双方とも３００mmであるため、＋３００mmH2O以上あるいは−３００mmH2O以下となる差圧が生じると、水封式ドレントラップ１、１０の水封が破れ、ドレンタンク２からオゾンが流出してしまう。
【００７８】
各オゾン濃度計１７、１８の測定値からこの漏洩オゾンを確認すると、通常の水封式ドレントラップ１を使用した場合の漏洩オゾン濃度ＯＺ１は、ＣＰ１が＋３００mmH2Oを超えた経過時間１０min付近から急激に高濃度値を示している。これは、オゾンガスの加圧状態が続いたために通常の水封式ドレントラップ１のドレンタンク２内の圧力が増し、水封が破れてしまい、ドレンタンク２内の水がタンク外に溢れ出てしまったためと考えられる。
【００７９】
このように、ドレントラップからオゾンが漏洩すると、この漏洩が低減されるには長時間を要する。本実験においてはこの漏洩中にも大きな圧力の変動が生じて更に漏洩オゾンが増大している。
【００８０】
一方、本発明を適用した水封式ドレントラップ１０を使用した場合の漏洩オゾン濃度ＯＺ２は、０．０２ppm〜０．０４ppmのごくわずかな変動しか示していない。公害対策法で定める大気の汚染に係わる環境基準大気中のオゾンの基準値に０．０６ppmというのがあるが、本実験では本発明を適用した場合この基準値を超えることはなかった。
【００８１】
本発明を適用した水封式ドレントラップ１０を透明塩化ビニル製として内部の圧力調整子１２ｃの動きを観察すると、加圧状態の時には下限側の圧力調整弁１２ｂを封じており、減圧状態の時には上限側の圧力調整弁１２ａを封じていた。
【００８２】
したがって、このような圧力調整子１２ｃの動きにより、ドレンタンク２内の圧力変動を抑制し、オゾンの漏洩を防止可能であるとわかる。
【００８３】
【発明の効果】
以上詳記したように本発明の水封式ドレンタンク圧力調整装置を具備する水封式ドレントラップにおいては、ガスから発生するドレンを除去する際にガス発生源の変動に伴って生じるガス圧力の変動により、水封が破れ、これによりドレントラップからガスが漏洩することを防止できる。
【００８４】
また、本発明の水封式ドレンタンク圧力調整装置を具備する水封式ドレントラップを適用すると、設置スペースを特別に確保する必要がなく、コストを削減し、水封式ドレントラップを小型化できる。
【００８５】
さらに、特別なメンテナンスが必要なく、取り付けが容易である。
【図面の簡単な説明】
【図１】本発明の実施の形態に係る水封式ドレンタンク圧力調整装置を備えたドレントラップの構造を示す断面図。
【図２】ガス圧力が加圧状態となった場合の水封式ドレントラップの状態を示す断面図。
【図３】ガス圧力が減圧状態となった場合の水封式ドレントラップの状態を示す断面図。
【図４】本発明の実施例における実験システムの構成を示すブロック図。
【図５】実験の結果を示すグラフ。
【図６】従来の水封式ドレントラップの概略を示す断面図。
【図７】従来の排オゾン処理装置の概略を示すブロック図。
【符号の説明】
１、１０…水封式ドレントラップ
２…ドレンタンク
２ａ…ドレン排出口
３…水
４、１１…水封配管
５…オゾン接触池
６、１３…排オゾン処理装置
７…オゾン分解塔
８…ミストセパレータ
９…加温ヒータ
１２ａ、１２ｂ…圧力調整弁
１２ｃ…圧力調整子
１４〜１６…連成計
１７、１８…オゾン濃度計
【図１】
0003699876.tif 000002
【図２】
0003699876.tif 000003
【図３】
0003699876.tif 000004
【図４】
0003699876.tif 000005
【図５】
0003699876.tif 000006
【図６】
0003699876.tif 000007
【図７】
0003699876.tif 000008